(57)【要約】【課題】重複した設定作業を低減して利便性を向上させることのできる画像形成システムを提供する。【解決手段】画像情報に基づいて記録媒体に画像形成を行う画像形成手段（画像形成装部１００）と、通信手段Ｎ１〜Ｎ３を介して画像形成手段と接続され、画像を読み取る画像読取手段（画像読取部２００）と、画像形成手段について初期設置設定を行う第１の初期設置設定手段（第１の初期設置設定部１０１）と、画像読取手段について初期設置設定を行う第２の初期設置設定手段（第２の初期設置設定部２０１）と、第１の初期設置設定手段による初期設置設定および第２の初期設置設定手段による初期設置設定の実施状況を確認する確認手段（実施状況確認部３０１）と、確認結果に基づいて初期設置設定の設定内容を調整する調整手段（設定内容調整部３０４）とを備える。【選択図】図１
2011040802.tif 000002
【特許請求の範囲】
【請求項１】
画像情報に基づいて記録媒体に画像形成を行う画像形成手段と、
通信手段を介して前記画像形成手段と接続され、画像を読み取る画像読取手段と、
前記画像形成手段について初期設置設定を行う第１の初期設置設定手段と、
前記画像読取手段について初期設置設定を行う第２の初期設置設定手段と、
前記第１の初期設置設定手段による初期設置設定および前記第２の初期設置設定手段による初期設置設定の実施状況を確認する確認手段と、
前記確認手段による確認結果に基づいて前記初期設置設定の設定内容を調整する調整手段と、
を備えることを特徴とする画像形成システム。
【請求項２】
前記確認手段は、
前記第１の初期設置設定手段による初期設置設定または前記第２の初期設置設定手段による初期設置設定の何れかが完了している場合に、完了している一方の初期設置設定の設定内容を取得する取得手段を備え、
前記調整手段は、
前記取得手段で取得された初期設置設定の設定内容に基づいて他方の初期設置設定の設定内容を調整することを特徴とする請求項１に記載の画像形成システム。
【請求項３】
前記確認手段は、
前記第１の初期設置設定手段による初期設置設定および前記第２の初期設置設定手段による初期設置設定の何れもが完了していない場合に、前記双方の初期設置設定の共通項目を選択する選択手段を備え、
前記調整手段は、
前記第１の初期設置設定手段または前記第２の初期設置設定手段が起動された際に、前記選択手段で選択された共通項目に基づいて前記初期設置設定の設定内容を調整することを特徴とする請求項１に記載の画像形成システム。
【請求項４】
前記調整手段は、前記選択手段で選択された共通項目に関する情報を前記画像形成手段または前記画像読取手段に通知することを特徴とする請求項３に記載の画像形成システム。
【請求項５】
前記調整手段による前記初期設置設定の設定内容の調整は、前記第１の初期設置設定手段または前記第２の初期設置設定手段の起動の要否、設定項目の増減を含むことを特徴とする請求項１から請求項４の何れかに記載の画像形成システム。
【請求項６】
画像情報に基づいて記録媒体に画像形成を行う画像形成過程と、
画像を読み取る画像読取過程と、
前記画像形成過程について初期設置設定を行う第１の初期設置設定過程と、
前記画像読取過程について初期設置設定を行う第２の初期設置設定過程と、
前記第１の初期設置設定過程による初期設置設定および前記第２の初期設置設定過程による初期設置設定の実施状況を確認する確認過程と、
前記確認過程による確認結果に基づいて前記初期設置設定の設定内容を調整する調整過程と、
を演算手段に実行させることを特徴とする処理プログラム。
【発明の詳細な説明】
【技術分野】
【０００１】
本発明は、画像形成システムおよび処理プログラムに関するものである。
【背景技術】
【０００２】
複合機等の画像形成装置に関し、装置の初期設置時において、最初の電源投入時などに、操作パネル部の表示言語や時刻情報をユーザに設定させる初期設置設定（パワーオンウィザード（Ｐｏｗｅｒ  Ｏｎ  Ｗｉｚａｒｄ））機能が設けられることがある。
【０００３】
ユーザは初期設置設定の機能を用いて必要最低限の設定を行うことにより、設置後の画像形成装置を即座に利用することが可能となるという利点がある。
【０００４】
このような初期設置設定に関する技術は種々提案されている。
【０００５】
例えば、特開２００４−１１０３９３号公報には、コンピュータに接続される周辺機器をセットアップする際の手順を複数の工程に分けて表すガイダンス情報を、出力手段を介して出力するセットアップ支援方法において、前記コンピュータが、前記ガイダンス情報の各工程が前記出力手段において出力された場合に、その出力履歴を、前記コンピュータの記憶手段に記憶する出力履歴記憶段階と、前記出力履歴を前記記憶手段から読み出し、同出力履歴に対応する前記ガイダンス情報を、前記出力手段を介して出力するガイダンス情報出力段階とを備えるセットアップ支援方法及びセットアップ支援用プログラムが提案されている。
【先行技術文献】
【特許文献】
【０００６】
【特許文献１】特開２００４−１１０３９３号公報
【発明の概要】
【発明が解決しようとする課題】
【０００７】
本発明は、重複した設定作業を低減して利便性を向上させることのできる画像形成システムおよび処理プログラムを提供することを目的とする。
【課題を解決するための手段】
【０００８】
前記課題を解決するため、請求項１の発明に係る画像形成システムは、画像情報に基づいて記録媒体に画像形成を行う画像形成手段と、通信手段を介して前記画像形成手段と接続され、画像を読み取る画像読取手段と、前記画像形成手段について初期設置設定を行う第１の初期設置設定手段と、前記画像読取手段について初期設置設定を行う第２の初期設置設定手段と、前記第１の初期設置設定手段による初期設置設定および前記第２の初期設置設定手段による初期設置設定の実施状況を確認する確認手段と、前記確認手段による確認結果に基づいて前記初期設置設定の設定内容を調整する調整手段とを備えることを特徴とする。
【０００９】
請求項２の発明に係る画像形成システムは、請求項１に記載の発明について、前記確認手段は、前記第１の初期設置設定手段による初期設置設定または前記第２の初期設置設定手段による初期設置設定の何れかが完了している場合に、完了している一方の初期設置設定の設定内容を取得する取得手段を備え、前記調整手段は、前記取得手段で取得された初期設置設定の設定内容に基づいて他方の初期設置設定の設定内容を調整することを特徴とする。
【００１０】
請求項３の発明に係る画像形成システムは、請求項１に記載の発明について、前記確認手段は、前記第１の初期設置設定手段による初期設置設定および前記第２の初期設置設定手段による初期設置設定の何れもが完了していない場合に、前記双方の初期設置設定の共通項目を選択する選択手段を備え、前記調整手段は、前記第１の初期設置設定手段または前記第２の初期設置設定手段が起動された際に、前記選択手段で選択された共通項目に基づいて前記初期設置設定の設定内容を調整することを特徴とする。
【００１１】
請求項４の発明に係る画像形成システムは、請求項３に記載の発明について、前記調整手段は、前記選択手段で選択された共通項目に関する情報を前記画像形成手段または前記画像読取手段に通知することを特徴とする。
【００１２】
請求項５の発明に係る画像形成システムは、請求項１から請求項４の何れかに記載の発明について、前記調整手段による前記初期設置設定の設定内容の調整は、前記第１の初期設置設定手段または前記第２の初期設置設定手段の起動の要否、設定項目の増減を含むことを特徴とする。
【００１３】
請求項６の発明に係る処理プログラムは、画像情報に基づいて記録媒体に画像形成を行う画像形成過程と、画像を読み取る画像読取過程と、前記画像形成過程について初期設置設定を行う第１の初期設置設定過程と、前記画像読取過程について初期設置設定を行う第２の初期設置設定過程と、前記第１の初期設置設定過程による初期設置設定および前記第２の初期設置設定過程による初期設置設定の実施状況を確認する確認過程と、前記確認過程による確認結果に基づいて前記初期設置設定の設定内容を調整する調整過程とを演算手段に実行させることを特徴とする。
【発明の効果】
【００１４】
本発明によれば以下の効果を奏することができる。
【００１５】
すなわち、請求項１に記載の発明によれば、重複した設定作業を低減して利便性を向上させることのできる画像形成システムを提供することができる。
【００１６】
請求項２に記載の発明によれば、重複した設定作業をより効率的に低減して利便性を向上させることのできる画像形成システムを提供することができる。
【００１７】
請求項３に記載の発明によれば、重複した設定作業をより効率的に低減して利便性を一層向上させることのできる画像形成システムを提供することができる。
【００１８】
請求項４に記載の発明によれば、利便性をより向上させることのできる画像形成システムを提供することができる。
【００１９】
請求項５に記載の発明によれば、重複した設定作業をより低減して利便性を向上させることのできる画像形成システムを提供することができる。
【００２０】
請求項６に記載の発明によれば、重複した設定作業を低減して利便性を向上させることのできる処理プログラムを提供することができる。
【図面の簡単な説明】
【００２１】
【図１】実施の形態に係る画像形成システムＳ１の構成を示す機能ブロック図である。
【図２】実施の形態に係る画像形成システムＳ１の他の構成を示すブロック図である。
【図３】初期設置用設定項目の例を示す表である。
【図４】画像形成システムＳ１における処理例を示す流れ図である。
【図５】初期設置操作処理の処理手順を示すフローチャートである
【図６】画像形成システムＳ１における態様１の処理の流れを示す流れ図である。
【図７】画像形成システムＳ１における態様２の処理の流れを示す流れ図である。
【発明を実施するための形態】
【００２２】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２３】
図１から図７を参照して、本発明についての実施の形態に係る画像形成システムＳ１について説明する。
【００２４】
図１に示すように、画像形成システムＳ１を構成する複合機等の画像形成装置ＰＲ１は、画像情報に基づいて記録媒体に画像形成を行う画像形成部１００（プリンタ：画像形成手段の一例）と、接続ケーブルやバス等の通信手段Ｎ１を介して画像形成部１００と接続され、画像を読み取って画像情報を生成する画像読取部２００（スキャナ：画像読取手段の一例）と、接続ケーブルやバス等の通信手段Ｎ２、Ｎ３を介して画像形成部１００および画像読取部２００と接続されて、それぞれを制御する制御部３００とから構成されている。
【００２５】
なお、画像形成装置ＰＲ１にはＬＡＮ等のネットワークＮ４を介して画像情報等を送信するパーソナルコンピュータ等で構成される情報処理装置ＰＣ１を接続してもよい。
【００２６】
画像形成部１００は、初期設置設定を行う第１の初期設置設定部１０１（第１の初期設置設定手段の一例）を備える。
【００２７】
なお、画像形成部１００の構成部材について本発明と関連しないものについては図示を省略する。
【００２８】
また、画像読取部２００は、初期設置設定を行う第２の初期設置設定部２０１（第２の初期設置設定手段の一例）を備える。
【００２９】
なお、画像読取部２００の構成部材について本発明と関連しないものについては図示を省略する。
【００３０】
制御部３００は、第１の初期設置設定部１０１による初期設置設定および第２の初期設置設定部２０１による初期設置設定の実施状況を確認する実施状況確認部３０１（確認手段の一例）と、実施状況確認部３０１による確認結果に基づいて初期設置設定の設定内容を調整する設定内容調整部３０４（調整手段の一例）とを備えている。
【００３１】
実施状況確認部３０１は、第１の初期設置設定部手段による初期設置設定または前記第２の初期設置設定部２０１による初期設置設定の何れかが完了している場合に、完了している一方の初期設置設定の設定内容を取得する設定内容取得部３０２（取得手段の一例）を備え、設定内容調整部３０４は、設定内容取得部３０２で取得された初期設置設定の設定内容に基づいて他方の初期設置設定の設定内容を調整する。
【００３２】
また、実施状況確認部３０１は、第１の初期設置設定部１０１による初期設置設定および第２の初期設置設定部２０１による初期設置設定の何れもが完了していない場合に、双方の初期設置設定の共通項目を選択する設定内容選択部３０３（選択手段の一例）を備え、設定内容調整部３０４は、第１の初期設置設定部１０１または第２の初期設置設定部２０１が起動された際に、設定内容選択部３０３で選択された共通項目に基づいて初期設置設定の設定内容を調整する。
【００３３】
なお、設定内容調整部３０４は、設定内容選択部３０３で選択された共通項目に関する情報を画像形成部１００または画像読取部２００に通知するようにしてもよい。
【００３４】
また、設定内容調整部３０４による初期設置設定の設定内容の調整は、第１の初期設置設定部１０１または第２の初期設置設定部２０１の起動の要否、設定項目の増減を含むようにしてもよい。
【００３５】
次に、図２を参照して、画像形成システムＳ１をスキャナ等の画像読取装置（画像読取部２００の一例）ＳＣ２とプリンタ等の画像形成装置（画像形成部の一例）ＰＲ２とで構成する場合について述べる。
【００３６】
図２に示すように、画像読取装置ＳＣ２と画像形成装置ＰＲ２が規定のＩ／Ｆにより接続されている。規定のＩ／ＦはＵＳＢ、セントロニクス（パラレル）等のローカルＩ／Ｆでも、ネットワークＩ／Ｆでもよい。
【００３７】
画像読取装置ＳＣ２は、Ｉ／Ｆ部１１０１、画像生成部１１０３、画像読取部１１０４、操作・表示部１１０５、設定情報記憶部１１０２と、制御部１１０６を具備して構成される。
【００３８】
Ｉ／Ｆ部１１０１は、画像形成装置ＰＲ２とのインターフェースとして動作し、データや指示等の送受信を行う。
【００３９】
画像生成部１１０３は、画像読取部１１０４から取得した画像を画像形成装置ＰＲ２へ送信可能なデータ形式への変換を行う。
【００４０】
画像読取部１１０４は、原稿を光学的に読み取って得た光学信号を電気信号に変換する。  操作・表示部１１０５は、ユーザインターフェースとして動作し、ユーザに対して各種情報の表示及び指示を受け付ける。
【００４１】
設定情報記憶部１１０２は、画像読取装置の動作に必要な条件が記憶され、例えば表示部における表示言語情報の設定などが記憶される。
【００４２】
制御部１１０６は、マイクロコンピュータ等で構成され、前述した機能部全てを統括し制御する。
【００４３】
画像形成装置ＰＲ２は、Ｉ／Ｆ部１２０１、データ解析部１２０２、印刷部１２０３、操作・表示部１２０４、設定情報記憶部１２０６と、制御部１２０５を具備して構成される。
【００４４】
Ｉ／Ｆ部１２０１は、画像読取装置ＳＣ２や情報処理装置等の外部装置（図示しない）とのインターフェースとして動作し、データや指示等の送受信を行う。
【００４５】
データ解析部１２０２は、Ｉ／Ｆ部１２０１から取得したデータを印刷部１２０３にて印刷可能なデータ形式への変換を行う。
【００４６】
印刷部１２０３は、データ解析部１２０２が出力したデータに基づいて、用紙上に画像を印刷する。
【００４７】
操作・表示部１２０４は、ユーザインターフェースとして動作し、ユーザに対して各種情報の表示及び指示を受け付ける。
【００４８】
設定情報記憶部１２０６は、画像形成装置の動作に必要な条件が記憶され、例えば表示部１２０４における表示言語情報の設定などが記憶される。
【００４９】
制御部２０５は、マイクロコンピュータ等で構成され、前述した機能部全てを統括し制御する。
【００５０】
図３は、画像読取装置ＳＣ２および画像形成装置ＰＲ２の各設定情報記憶部１１０２、１２０６にて管理される情報の例を示し、この例では、初期設置時に設定する項目および各設定項目の選択可能パラメータの情報（表示言語、日時間情報、ネットワーク設定、デフォルト用紙サイズ、初期設置設定の未了、完了等）が登録されている。
【００５１】
初期設置項目は各装置の仕様に依存する。
【００５２】
例えば、印刷時の標準用紙サイズを決定するための設定項目である「デフォルト用紙サイズ」は、画像形成装置固有の初期設定項目が存在する。
【００５３】
次に、図１〜図３を用いて、画像読取装置ＳＣ２と画像形成装置ＰＲ２の接続確立動作とコピー機能の一連の動作について説明する。
【００５４】
画像読取装置ＳＣ２は、画像形成装置ＰＲ２との接続を検知したタイミングで、スキャナ・プリンタが実現するコピー機能に必要な情報（例えば、性能情報や構成情報等）を取得し、コピージョブ受付可能状態に移行する。
【００５５】
接続方法は、特には限定されず、ＵＳＢ接続時のプラグアンドプレイや、予め登録したＩＰアドレスにネットワークアクセスする方法でもよい。
【００５６】
画像読取装置ＳＣ２はユーザによる操作・表示部１１０５の指示に基づいて、コピージョブを実行する。
【００５７】
操作・表示部１１０５は制御部１１０６に対し、ジョブの開始を通知する。
【００５８】
制御部１１０６は画像読取部１１０４に対して、原稿の読取処理の開始を通知する。
【００５９】
画像読取部１１０４は原稿を読み取り、画像データを取得する。
【００６０】
画像生成部１１０３は、取得した画像データを画像形成装置ＰＲ２が解析可能なデータに変換し、Ｉ／Ｆ部１１０１を経由して画像読取装置ＳＣ２の外部へ送信する。
【００６１】
なお、本実施の形態では、画像形成装置ＰＲ２へ送信される。
【００６２】
画像形成装置ＰＲ２のＩ／Ｆ部１２０１は、データの受信を検知すると、制御部１２０５へ受信した旨を通知する。
【００６３】
制御部１２０５は、Ｉ／Ｆ部１２０１、データ解析部１２０２および操作・表示部１２０４に対して、受信したデータに対する処理の開始を通知する。
【００６４】
Ｉ／Ｆ部１２０１は、受信データをデータ解析部１２０２へ渡し、データ解析部１２０２は、印刷部１２０３にて印刷可能な形式に変換して印刷部１２０３に渡す。
【００６５】
印刷部１２０３は取得したデータを用紙に印刷する。
【００６６】
次に、初期設置設定におけるスキャナ・プリンタ間の連携動作について説明する。
【００６７】
本発明は各初期設置設定における重複動作を抑止することを目的としており、重複する態様としては、一方の装置が初期設置設定機能を実施済みの状態で、もう一方の装置が初期設置設定を起動する場合（態様１）と、両装置共に初期設置設定機能が未実施の状態である場合（態様２）を想定して説明する。
【００６８】
まず、図３の表、図５のフローチャート、図６の流れ図を参照して上記態様１について説明する。
【００６９】
スキャナＳＣ２が初期設置設定の実施済み状態において、プリンタが初期設置設定を後発起動する場合の動作について述べる。
【００７０】
前提として、スキャナＳＣ２とプリンタＰＲ２は初期設置設定機能が未実施の状態で、両者がＵＳＢ接続されているものとする。
【００７１】
まず、初期設置設定の機能動作を画像読取装置ＳＣ２の例にて説明する。
【００７２】
ステップＳ１０でスキャナＳＣ２が電源オンされると、図３の表に記載の初期設置設定実施フラグの値を確認し、初期設置設定の起動判断を決定する。
【００７３】
実施フラグは、初期設置設定機能が完了した場合に”完了”となるが、初期値は“未了”である。
【００７４】
実施フラグが未了の場合に、初期設置設定を起動し、図３の表の記載のスキャナ用設定項目を順次ユーザに設定させる。
【００７５】
具体的な操作手順を図５のフローチャートを用いて説明する。
【００７６】
ステップＳ１１で、表示言語設定画面が表示され、ユーザが任意の値を選択すると、ステップＳ１２の日時設定画面に移行する。
【００７７】
この操作が設定項目数分繰り返され、ステップＳ１３で最後の設定画面であるネットワーク設定にて選択が終了すると、装置はこれまでの情報を反映し、使用可能状態（レディ状態）に移行して初期設置操作処理を終了する。
【００７８】
図６に戻って、スキャナＳＣ２の初期設置設定が終了した状態で、画像形成装置ＰＲ２を電源オンする。
【００７９】
ＵＳＢのＰｌｕｇ＆Ｐｌａｙ（プラグアンドプレイ）により、スキャナＳＣ２とプリンタＰＲ２間は接続フェーズに移行し、機能（スペック）相互取得により情報の授受を行う。  この結果、プリンタＰＲ２はスキャナＳＣ２が初期設置設定実施状態の情報から、スキャナＳＣ２が初期設置設定実施済みであることを検知する。
【００８０】
プリンタＰＲ２はスキャナＳＣ２から初期設置設定の実施結果を情報として取得する。  次にプリンタＰＲ２は初期設置設定起動処理に移行し、取得結果と予め初期設定項目とを比較する。
【００８１】
表示言語、日時情報、ネット設定は取得結果によりプリンタＰＲ２側の設定値として反映し、デフォルト用紙サイズは取得できていないことから、本項目のみを対象とした初期設置設定を起動する。
【００８２】
初期設置設定の終了後、プリンタは使用可能状態に移行する。
【００８３】
なお、本実施例では、プリンタ固有の設定により、後発したプリンタ側の初期設置設定を実施したが、スキャナＳＣ２とプリンタＰＲ２の初期設定項目が同じ、もしくはプリンタＰＲ２側の設定項目数がスキャナＳＣ２側を包含している場合には、プリンタＰＲ２側の初期設置設定の起動自体が不要としてもよい。
【００８４】
次に、図７の流れ図を参照して上記態様２（スキャナＳＣ２、プリンタＰＲ２の両者が初期設置設定未実施状態である場合の動作）について、図６の流れ図を参照して説明する。
【００８５】
前提として、スキャナＳＣ２とプリンタＰＲ２は初期設置設定機能が未実施の状態で、両者がＵＳＢ接続しているものとする。
【００８６】
スキャナＳＣ２とプリンタＰＲ２は電源オンされると、スキャナＳＣ２、プリンタＰＲ２間の接続シーケンスに移行する。
【００８７】
上記態様１と同様に機能（スペック）相互取得フェーズにて、両者の初期設置設定実施状態を検知する。
【００８８】
本例では、両者共に未実施の状態であるため、スキャナＳＣ２側にて初期設置設定を実施するものとする。
【００８９】
スキャナＳＣ２はプリンタＰＲ２から初期設置設定の設定項目とその選択範囲情報を取得する。
【００９０】
次に、スキャナＳＣ２は初期設置設定起動処理に移行し、取得結果と予め初期設定項目とを比較する。
【００９１】
その結果、スキャナＳＣ２とプリンタＰＲ２共通の３項目（表示言語、日時情報、ネット設定）と、更にプリンタ固有の１項目（デフォルト用紙サイズ）を包含した４項目を設定対象とした初期設置設定を起動する。
【００９２】
初期設置設定の終了後、スキャナＳＣ２自身の設定項目として反映すると共に、プリンタＰＲ２側に事前に取得した４項目の設定結果をプリンタ側へ通知する。
【００９３】
プリンタＰＲ２は受信した結果を自装置の設定として反映する。
【００９４】
ここで、初期設置設定を実施する装置を決定するための判断基準の例を記載する。
（１）装置の操作パネル部の仕様／性能比較
【００９５】
操作パネル部の仕様に差異がある場合、より操作性の高い装置を選択することが好ましいためであり、具体的な比較因子としては、ＬＣＤの表現能力（ビットマップ、キャラクタ）、ＬＣＤの画面サイズ、タッチパネルディスプレイか否か等がある。
（２）設定項目数
【００９６】
設定項目数に差異がある場合、その項目数が多い方を選択する。
【００９７】
以上述べたように、本実施の形態に係る画像形成システムＳ１によれば、初期設置設定における重複した設定作業を低減して利便性が向上される。
【００９８】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９９】
また、プログラムを用いる場合には、ネットワークを介して提供し、或いはＣＤ−ＲＯＭ等の記録媒体に格納して提供することが可能である。
【０１００】
即ち、画像処理プログラムを含む所定のプログラムを記録媒体としてのハードディスク等の記憶装置に記録する場合に限らず、当該所定のプログラムを次のようにして提供することも可能である。
【０１０１】
例えば、所定のプログラムをＲＯＭに格納しておき、ＣＰＵが、この所定のプログラムをこのＲＯＭから主記憶装置へローディングして実行するようにしてもよい。
【０１０２】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１０３】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１０４】
本発明による画像形成システムおよび処理プログラムは、スキャナを備えるプリンタや複合機等に適用することができる。
【符号の説明】
【０１０５】
Ｓ１  画像形成システム
ＰＲ１、ＰＲ２  画像形成装置
ＳＣ２  画像読取装置
Ｎ１〜Ｎ４  通信手段
ＰＣ１  情報処理装置
１００  画像形成部
１０１  第１の初期設置設定部
２００  画像読取部
２０１  第２の初期設置設定部
２０５  制御部
３００  制御部
３０１  実施状況確認部
３０２  設定内容取得部
３０３  設定内容選択部
３０４  設定内容調整部
１１０１  Ｉ／Ｆ部
１１０２  設定情報記憶部
１１０３  画像生成部
１１０４  画像読取部
１１０５  操作・表示部
１１０６  制御部
１２０１  Ｉ／Ｆ部
１２０２  データ解析部
１２０３  印刷部
１２０４  操作・表示部
１２０５  制御部
１２０６  設定情報記憶部
【図１】
2011040802.tif 000003
【図２】
2011040802.tif 000004
【図３】
2011040802.tif 000005
【図４】
2011040802.tif 000006
【図５】
2011040802.tif 000007
【図６】
2011040802.tif 000008
【図７】
2011040802.tif 000009